(57)【要約】【課題】長尺体に対して、保持部材から長尺体を引き抜く方向に力を加えた場合に、長尺体の端が保持部材から離脱するのを防ぐとともに、保持部材の耐久性を向上させる。【解決手段】本発明の装身具は、長尺体３と、長尺体３の端を内側に保持する中空状の保持部材２と、長尺体３に一体的に設けられ、保持部材２の内部で保持部材２と係合することにより長尺体３の端が保持部材２から離脱するのを防ぐ離脱防止手段４とを有し、長尺体３の一端を保持している保持部材２１と、他端を保持している保持部材２２とを接続部材５を介して接続自在に備えられている。さらに、保持部材２の内側において、長尺体３を保持部材２から引き抜く方向へ向けて広がるように傾斜した面と、該面に離脱防止手段４の面とを接触させることにより、保持部材２と離脱防止手段４とが係合されている。【選択図】図２
2008000209.tif 000002
【特許請求の範囲】
【請求項１】
長尺体と、
前記長尺体の端を内部に保持するための中空状の凹所が設けられた保持部材と、
前記長尺体に一体的に設けられ、前記保持部材の内部において前記保持部材と係合することにより前記長尺体の端が前記保持部材から離脱するのを防止する離脱防止手段とを有し、
前記長尺体の一端を保持している保持部材と、他端を保持している保持部材とを接続部材を介して接続可能に備えられてなる装身具。
【請求項２】
ゴム磁石が樹脂によって被覆された長尺体と、
前記長尺体の端を内部に保持するための中空状の凹所が設けられた保持部材と、
前記長尺体に一体的に設けられ、前記保持部材の内部において前記保持部材と係合することにより前記長尺体の端が前記保持部材から離脱するのを防止する離脱防止手段とを有し、
前記長尺体の一端を保持している保持部材と、他端を保持している保持部材とを接続部材を介して接続可能に備えられてなる装身具。
【請求項３】
前記保持部材の内側において、前記長尺体を前記保持部材から引き抜く方向に広がるように傾斜した面と、該面に前記離脱防止手段の面とを接触させることにより、前記保持部材と前記離脱防止手段とが係合されてなる請求項１または２記載の装身具。
【請求項４】
前記離脱防止手段が、断面略Ｃ字状を呈した部材であり、内側の面に複数の突起が設けられており、該突起を前記長尺体に喰い込ませて巻着されてなる請求項１、２または３記載の装身具。
【発明の詳細な説明】
【技術分野】
【０００１】
本発明は、装身具に関する。さらに詳しくは、長尺体と、前記長尺体の端を内部に保持する中空状の保持部材と、前記長尺体に一体的に設けられ、前記保持部材の内部において前記保持部材と係合することにより前記長尺体の端が前記保持部材から離脱するのを防止する離脱防止手段とを有し、前記長尺体の一端を保持している保持部材と、他端を保持している保持部材とを接続部材を介して接続可能に備えられた装身具に関する。
【背景技術】
【０００２】
従来、磁力による健康増進などを目的として、磁気ネックレスや磁気ブレスレットなどが装身具として使用されている。
【０００３】
たとえば、特許文献１には、運動中でも身につけられ、長さ調節可能で身体のさまざまな部位に装着できる磁気装身具の技術が開示されている。このなかでは、長尺体の一方の端に受け部が設けられ、長尺体の他方の端に挿入体を保持する保持部材が設けられている。使用者は、この受け部と、保持部材により保持された挿入体とを嵌め合わせることにより、長尺体を環状にして身体に装着する。
【０００４】
【特許文献１】特開２００５−３４２０２７号公報
【発明の開示】
【発明が解決しようとする課題】
【０００５】
しかしながら、叙上の従来の技術では、保持部材および受け部が軟質の材料で製造されているため、長尺体に対して、保持部材（または受け部）から長尺体を引き抜く方向に力を加えた場合に、本来ならば長尺体の端部の表面に接触して長尺体を押圧しつつ保持している部分が、長尺体の表面から離れる方向に変形し、長尺体の端部が保持部材から離脱してしまうというおそれがある。また、保持部材は長尺体を保持するために、保持部材が径方向に伸ばされ、常時圧縮応力が生じた状態になっている。
【０００６】
本発明は、叙上の従来の問題に鑑みてなされたもので、長尺体に対して、保持部材から長尺体を引き抜く方向に力を加えた場合に、長尺体の端が保持部材から離脱するのを防止することができるとともに保持部材の耐久性を向上させることができる装身具を提供することを目的とするものである。
【課題を解決するための手段】
【０００７】
本発明の装身具は、長尺体と、前記長尺体の端を内部に保持するための中空状の凹所が設けられた保持部材と、前記長尺体に一体的に設けられ、前記保持部材の内部において前記保持部材と係合することにより前記長尺体の端が前記保持部材から離脱するのを防止する離脱防止手段とを有し、前記長尺体の一端を保持している保持部材と、他端を保持している保持部材とを接続部材を介して接続可能に備えられてなることを特徴としている。
【０００８】
また、ゴム磁石が樹脂によって被覆された長尺体と、前記長尺体の端を内部に保持するための中空状の凹所が設けられた保持部材と、前記長尺体に一体的に設けられ、前記保持部材の内部において前記保持部材と係合することにより前記長尺体の端が前記保持部材から離脱するのを防止する離脱防止手段とを有し、前記長尺体の一端を保持している保持部材と、他端を保持している保持部材とを接続部材を介して接続可能に備えられてなることが好ましい。
【０００９】
また、前記保持部材の内側において、前記長尺体を前記保持部材から引き抜く方向に広がるように傾斜した面と、該面に前記離脱防止手段の面とを接触させることにより、前記保持部材と前記離脱防止手段とが係合されてなることが好ましい。
【００１０】
また、前記離脱防止手段が、断面略Ｃ字状を呈した部材であり、内側の面に複数の突起が設けられており、該突起を前記長尺体に喰い込ませて巻着されてなることが好ましい。
【発明の効果】
【００１１】
本発明によれば、長尺体に一体的に取り付けられた離脱防止手段と保持部材の内側に形成された締め付け手段とが係合する部分を、長尺体を保持部材から引き抜く方向に広がるように傾斜した面で接触させて係合することにより、長尺体を保持部材から引き抜く方向（長手方向）に引っ張り力を加えた際に、保持部材には長尺体を締め付ける方向に力が加わるので、保持部材が長尺体から離れる方向に変形し難く、長尺体の端が保持部材から離脱するのを防ぐことができるとともに、長尺体を保持させるために保持部材へストレスを生じさせておく必要が無いので、保持部材の耐久性を向上させることができる。
【発明を実施するための最良の形態】
【００１２】
本発明の装身具は、ゴム磁石を樹脂で被覆した長尺体と、前記長尺体の端を内側に保持する中空状の保持部材と、前記長尺体に一体的に設けられ、前記保持部材の内部で前記保持部材と係合することにより前記長尺体の端が前記保持部材から離脱するのを防ぐ離脱防止手段とを有し、前記長尺体の一端を保持している保持部材と、他端を保持している保持部材とを接続部材を介して接続可能に備えられている。さらに、前記保持部材と前記離脱防止手段とが、前記保持部材の内側に形成され、前記長尺体を前記保持部材から引き抜く方向へ向けて広がるように傾斜した面と、該面に平行な前記離脱防止手段の面とを接触させることにより、係合されている。
【００１３】
以下で添付図面を参照して、本発明の装身具を詳細に説明する。
【００１４】
図１は、実施の形態１の装身具の全体を示す図、図２は、実施の形態１の装身具の接続部分の構造を説明するための断面図、図３は、図２に示されているＡ−Ａにおける断面図、図４は、実施の形態１の装身具の保持部材を説明するための断面図、図５は、実施の形態１の装身具の離脱防止部材（離脱防止手段）を説明するための斜視図、図６（ａ）〜（ｆ）は、離脱防止部材の形状の他の例を示す側面図、図７は、本発明の装身具の接続部分における他の一例を示す断面図、図８（ａ）および図８（ｂ）は、本発明の装身具の接続部分における他の一例を示す図であり、図８（ａ）は、長尺体の長手方向に切断した場合の断面図、図８（ｂ）は、図８（ａ）に示されているＢ−Ｂにおける断面図である。
【００１５】
実施の形態１
実施の形態１の装身具１は、図１に示されるように、長尺体３の両端を、長尺体３の両端に設けられた一対の保持部材２を用いて接続することにより、環状にして使用されるものである。
【００１６】
装身具１は、図２に示されるように、一対の保持部材２（第１保持部材２１、第２保持部材２２）と、ゴム磁石３１を樹脂３２で被覆されており、第１保持部材２１に一方の端が収容され、第２保持部材２２に他方の端が収容された長尺体３と、長尺体３の両端に巻着された状態で、第１保持部材２１と第２保持部材２２のそれぞれの内部に収容されており、長尺体３の端部が保持部材２から離脱することを防止するための離脱防止部材４と、長尺体３の一方の端に設けられた第１保持部材２１と他方の端に設けられた第２保持部材２２とを接続するための接続部材５とから構成されている。また、図３に示されるように、離脱防止部材４は、長尺体３の端部にその一部（突起４１）を突き刺して巻着されている。
【００１７】
保持部材２は、図４に示されるように、中空状の部材であり、内部の空間は、長尺体３の端部が収容される空間のほかに、離脱防止部材４が巻着された長尺体３の端部を収容するための空間２ａと、後述する接続部材５の一方の端（第１接続部５１あるいは第２接続部５２）を収容するための空間２ｂと、空間２ｂよりも狭小な接続部材５の軸５０を収めるための空間２ｃと、接続部材５の位置決め部５２が位置する空間２ｄとが連通して形成されている。さらに、保持部材２には、図２に示されるように、締め付け手段Ｘが形成されている。締め付け手段Ｘは、図２に示されるように、断面が鋭角をなして長尺体３の端へ向けて突出した形状を呈している。この締め付け手段Ｘは、離脱防止部材４と係合する。
【００１８】
保持部材２の材質としては、離脱防止部４が巻着された長尺体３を収容できる程度の弾性を有するものであればよく、本実施の形態では、シリコーンゴムを用いることが好ましい。
【００１９】
長尺体３は、フェライトがゴム中で分散してなるゴム磁石３１を樹脂３２により被覆されて構成されている。ゴム磁石３１の断面は、直径約３〜８ｍｍの円形を呈し、樹脂３２は、ゴム磁石３１の表面に厚さ約０．１〜０．５ｍｍのポリウレタン層が設けられている。フェライトとゴムの混合比率は、フェライトが８０〜９５重量％、ゴムが５〜２０重量％であることが適切である。長尺体３の横断面において、フェライト粒子を同一方向、たとえば断面上方向に磁化すると仮定すると、フェライト粒子同士の隣接するＮ極とＳ極が打ち消され、長尺体３の任意の横断面において、仮想的に磁化される。磁化の方向は、Ｎ極から出る磁力線の向きが長尺体３の長さ方向で、たとえば、互い違いであったり、螺旋状であったり、ランダムに変化するなど異なる向きであってよく、磁気効果が高くなるように変化を与えることができる。
【００２０】
磁化の強さとして、長尺体表面の磁束密度は４０〜７０ミリテスラである。前記フェライトとゴムの混合比率から、適当な可撓性を得ることができるので身体に装着しやすく、また、磁束密度を適切な範囲内で強くすることができるので、健康増進効果が高い。
【００２１】
離脱防止部材４は、図５に示されるように、略Ｃ字状の断面を呈した部材であり、その内側の面から円柱と円錐が結合された形状の３本の突起４１が形成されている。この３本の突起４１は、離脱防止部材４を長尺体３に対して強固に巻着させるためのもので、図３に示されるように、長尺体３に離脱防止部材４を巻着する際には、突起４１を長尺体３に食い込ませて取り付ける。また、本実施の形態では、円柱と円錐が結合された形状の突起４１を３本形成しているが、突起４１の形状および数は、図６（ａ）〜図６（ｆ）に示されるようなものであっても構わない。さらに、離脱防止部材４の側縁４２は、図５に示されるように、離脱防止部材４の縁に向かって広がるように傾斜した形状を呈している。側縁４２は、保持部材２に形成された締め付け手段Ｘの傾斜面と平行な面であり、締め付け手段Ｘの傾斜面と当接して係合する。
【００２２】
このように、締め付け手段Ｘと離脱防止部材４とが係合する部分を、長尺体３を保持部材２から引き抜く方向に広がるように傾斜した面で接触させて係合することにより、長尺体３の長手方向に引っ張り力を加えた際に、長尺体３に加わった力が離脱防止部材４を介して保持部材２に伝達される。すなわち、離脱防止部材４の傾斜面と締め付け手段Ｘの傾斜面を経て力が伝達される。つまり、長尺体３の長手方向に加わった引っ張り力が、保持部材２に伝達されると、力の一部は、長尺体３の軸心に向かう方向に変換される。したがって、保持部材２には、長尺体３の端部を締め付ける方向に力が加えられているので、長尺体３は保持部材２から離脱し難い。
【００２３】
接続部材５は、図２に示されるように、軸５０と、軸５０の一方の先端に形成されて、接続時に第２保持部材２２に嵌合される略半球状を呈した第１接続部５１と、軸５０の他方の端に形成されて、第１保持部材２１に嵌装される略半球状を呈した第２接続部５３と、軸５０の軸線方向に対して垂直な方向に突出して形成された、接続部材５の軸方向の位置を決定する位置決め部５２とから構成されている。第１保持部材２１と第２保持部材２２とが接続される場合には、第１接続部５１が、第２保持部材２２の空間２ｄと狭小な空間２ｃとを経て空間２ｂに収まり、第１接続部５１が第２保持部材２２に嵌合されて、第１保持部材２１と第２保持部材２２とが接続された状態になる。
【００２４】
以上のように実施の形態１の装身具１によれば、長尺体３に一体的に取り付けられた離脱防止部材４と保持部材２に形成された締め付け手段Ｘとが係合する部分を、長尺体３を保持部材２から引き抜く方向に広がるように傾斜した面で接触させて係合することにより、長尺体３を保持部材２から引き抜く方向（長手方向）に引っ張り力を加えた際に、保持部材２には長尺体３を締め付ける方向に力が加わり、長尺体３の端が保持部材２から離脱するのを防止することができる。また、長尺体を保持させるために保持部材２へストレスを生じさせておく必要が無いので、保持部材２の耐久性を向上させることができる。
【００２５】
なお、上記実施の形態１では、長尺体３の断面形状を円形としたが、本発明はこれに限らず、長尺体３の断面形状は、楕円、四角、六角など他の形状であってもよい。この際に、離脱防止手段４として別部材を用いる場合には、離脱防止手段４の形状も断面Ｃ字状に限らず、長尺体３の横断面の形状に応じた形態にしてもよい。
【００２６】
さらに、好みに応じて長尺体３の表面に着色・模様を付することもでき、特定のデザインに限定されない。
【００２７】
また、上記実施の形態１では、長尺体３とは別部材の離脱防止手段４を長尺体３に巻着した場合について説明したが、本発明はこれに限らず、図７に示されるように、長尺体３を成形する際に長尺体３の両端の形状を所定の形状に成形して離脱防止手段４としてもよい。離脱防止手段４が、長尺体に一体的に設けられていればよい。
【００２８】
また、図８（ａ）および図８（ｂ）に示されるように、長尺体３の一部に切り欠きを形成して離脱防止手段４とし、保持部材の内側に突出した形状であって、長尺体３の端へ向けて鋭角をなして突出した形状の締め付け手段Ｘと係合させる形態であってもよい。
【００２９】
本発明の装身具は、ネックレスやブレスレットとして使用することができる。
【図面の簡単な説明】
【００３０】
【図１】実施の形態１の装身具の全体を示す図である。
【図２】実施の形態１の装身具の接続部分の構造を説明するための断面図である。
【図３】図２に示されているＡ−Ａにおける断面図である。
【図４】実施の形態１の装身具の保持部材を説明するための断面図である。
【図５】実施の形態１の装身具の離脱防止部材を説明するための斜視図である。
【図６】（ａ）〜（ｆ）は、それぞれ離脱防止部材の形状の例を示す側面図である。
【図７】本発明の装身具の接続部分における他の一例を示す断面図である。
【図８】（ａ）および（ｂ）は、それぞれ本発明の装身具の接続部分における他の一例を示す図であり、（ａ）は長尺体の長手方向に切断した場合の断面図、（ｂ）は（ａ）に示されているＢ−Ｂにおける断面図である。
【符号の説明】
【００３１】
１  装身具
２  保持部材
３  長尺体
４  離脱防止部材（離脱防止手段）
５  接続部材
２１  第１保持部材
２２  第２保持部材
４１  突起
Ｘ  締め付け手段
【図１】
2008000209.tif 000003
【図２】
2008000209.tif 000004
【図３】
2008000209.tif 000005
【図４】
2008000209.tif 000006
【図５】
2008000209.tif 000007
【図６】
2008000209.tif 000008
【図７】
2008000209.tif 000009
【図８】
2008000209.tif 000010